【手続補正書】
【提出日】平成17年10月18日(2005.10.18)
【手続補正１】
【補正対象書類名】明細書
【補正対象項目名】特許請求の範囲
【補正方法】変更
【補正の内容】
【特許請求の範囲】
【請求項１】  複数の表示単位を有する表示デバイスと、
前記表示デバイスを制御する制御部を備え、
前記制御部は、線分で表されたベクトルデータに基づいて図形や文字を表示デバイスに表示する際に、表示デバイスの表示単位に対応した座標空間上の各格子領域に対して、該線分が格子内の所定の領域を横切った場合に、その横切られた所定の領域に対応した所定の輝度値を該格子領域に対応する表示単位の輝度値として用いて表示する、図形または文字の表示装置。
【請求項２】  前記横切られた所定の領域を含む格子領域は、図形や文字の基本部分を表すこととした、請求項１に記載の図形または文字の表示装置。
【請求項３】  前記格子内の所定の領域は、格子領域の中心位置から所定の距離以内の領域である、請求項１または２に記載の図形または文字の表示装置。
【請求項４】  前記格子内の所定の領域は、格子領域の境界位置から所定の距離以上内側の領域である、請求項１または２に記載の図形または文字の表示装置。
【請求項５】  前記格子内の所定の領域は、格子内の全面積よりも小さい面積を持つ様に設定された領域である、請求項１または２に記載の図形または文字の表示装置。
【請求項６】  前記格子内の所定の領域はさらに、前記ベクトルデータの線分の傾き度合いに応じて決定された領域を用いる、請求項３〜５のいずれかに記載の図形または文字の表示装置。
【請求項７】  前記図形や文字の基本部分を表す格子領域に隣接した格子領域に対応する表示単位の輝度値として、図形や文字の基本部分を表す格子領域に対応する表示単位の輝度値に準ずる所定の輝度値を用いて表示する、請求項１または２に記載の図形または文字の表示装置。
【請求項８】  前記格子内の所定の領域を各格子領域内に複数種類設定し、それぞれの所定の領域を各格子領域内に線分が横切る場合に、その横切った領域に応じた所定の輝度値を、その横切られた所定の領域を含む格子領域に対応する表示単位の輝度値として表示する、請求項１または２に記載の図形または文字の表示装置。
【請求項９】  前記線分が前記格子内の所定の領域を横切る場合には、各格子領域の中心点を結ぶ線上で、前記線分が前記所定の領域内において交差する場合に、その横切られた所定の領域を含む格子領域が図形や文字の基本部分を表すこととする、請求項１または２に記載の図形または文字の表示装置。
【請求項１０】  前記表示デバイスの表示単位は、画素すなわちピクセルである、請求項１または２に記載の図形または文字の表示装置。
【請求項１１】  前記表示デバイスの表示単位は、各々の画素を構成する一以上のサブピクセルである、請求項１または２に記載の図形または文字の表示装置。
【請求項１２】  線分で表されたベクトルデータに基づいて図形または文字を表示デバイスに表示する表示方法であって、
表示デバイスの表示単位に対応した座標空間上の各格子領域に対して、線分が格子内の所定の領域を横切った場合に、その横切られた所定の領域に対応した所定の輝度値を該格子領域に対応する表示単位の輝度値として用いて表示するステップを含む、図形または文字の表示方法。
【請求項１３】  線分で表されたベクトルデータに基づいて図形または文字を表示デバイスに表示するための表示プログラムであって、
表示デバイスの表示単位に対応した座標空間上の各格子領域に対して、線分が格子内の所定の領域を横切った場合に、その横切られた所定の領域に対応した所定の輝度値を該格子領域に対応する表示単位の輝度値として用いて表示するステップをコンピュータに実行させるための図形または文字の表示プログラム。
【請求項１４】  線分で表されたベクトルデータに基づいて図形または文字を表示デバイスに表示する表示プログラムであって、
表示デバイスの表示単位に対応した座標空間上の各格子領域に対して、線分が格子内の所定の領域を横切った場合に、その横切られた所定の領域を含む格子領域を図形や文字の基本部分として設定するステップと、
その基本部分に設定された格子領域に対応する表示単位の輝度値として所定の輝度値を用いて表示するステップとをコンピュータに実行させるための図形または文字の表示プログラム。
【請求項１５】  請求項１３または１４に記載の図形または文字の表示プログラムを記録したコンピュータ読み取り可能な記録媒体。
【手続補正２】
【補正対象書類名】明細書
【補正対象項目名】００１９
【補正方法】変更
【補正の内容】
【００１９】
【課題を解決するための手段】 
本発明の図形または文字の表示装置は、複数の表示単位を有する表示デバイスと、上記表示デバイスを制御する制御部を備え、上記制御部は、線分で表されたベクトルデータに基づいて図形や文字を表示デバイスに表示する際に、表示デバイスの表示単位に対応した座標空間上の各格子領域に対して、該線分が格子内の所定の領域を横切った場合に、その横切られた所定の領域に対応した所定の輝度値を該格子領域に対応する表示単位の輝度値として用いて表示する。これにより、上記目的を達成する。この横切られた所定の領域を含む格子領域は図形や文字の基本部分を表す。
【手続補正３】
【補正対象書類名】明細書
【補正対象項目名】００２９
【補正方法】変更
【補正の内容】
【００２９】
本発明の図形または文字の表示方法は、線分で表されたベクトルデータに基づいて図形または文字を表示デバイスに表示する表示方法であって、表示デバイスの表示単位に対応した座標空間上の各格子領域に対して、線分が格子内の所定の領域を横切った場合に、その横切られた所定の領域に対応した所定の輝度値を該格子領域に対応する表示単位の輝度値として用いて表示するステップを含む。これにより、上記目的が達成される。
【手続補正４】
【補正対象書類名】明細書
【補正対象項目名】００３０
【補正方法】変更
【補正の内容】
【００３０】
本発明の図形または文字の表示プログラムは、線分で表されたベクトルデータに基づいて図形または文字を表示デバイスに表示する表示プログラムであって、表示デバイスの表示単位に対応した座標空間上の各格子領域に対して、線分が格子内の所定の領域を横切った場合に、その横切られた所定の領域に対応した所定の輝度値を該格子領域に対応する表示単位の輝度値として用いて表示するステップを含む、図形または文字の表示プログラムである。これにより、上記目的が達成される。また、線分で表されたベクトルデータに基づいて図形または文字を表示デバイスに表示する表示プログラムであって、表示デバイスの表示単位に対応した座標空間上の各格子領域に対して、線分が格子内の所定の領域を横切った場合に、その横切られた所定の領域を含む格子領域を図形や文字の基本部分として設定するステップと、その基本部分に設定された格子領域に対応する表示単位の輝度値として所定の輝度値を用いて表示するステップとをコンピュータに実行させるための図形または文字の表示プログラムでもよい。さらに、本発明の図形または文字の表示プログラムは、複数の表示単位を有する表示デバイスと、上記表示デバイスを制御する制御部とを備えた、図形または文字の表示装置で実行可能な表示プログラムであって、線分で表されたベクトルデータに基づいて図形や文字を表示する際に、表示デバイスの表示単位に対応した座標空間上の各格子領域に対して、線分が格子内の所定の領域を横切った場合に、その横切られた所定の領域を含む格子領域を図形や文字の基本部分として設定するステップと、その基本部分に設定された格子領域に対応する表示単位の輝度値として所定の輝度値を用いて表示するステップとを含む処理を上記制御部に実行させるための表示プログラムである。これにより、上記目的が達成される。
【手続補正５】
【補正対象書類名】明細書
【補正対象項目名】００３１
【補正方法】変更
【補正の内容】
【００３１】
本発明の図形または文字の表示プログラムを記録した記録媒体は、上記表示プログラムを記録したコンピュータ読み取り可能な記録媒体である。これにより、上記目的が達成される。例えば、本発明の図形または文字の表示プログラムを記録した記録媒体は、複数の表示単位を有する表示デバイスと、上記表示デバイスを制御する制御部とを備えた、図形または文字の表示装置で読み取り可能な記録媒体であって、線分で表されたベクトルデータに基づいて図形や文字を表示する際に、表示デバイスの表示単位に対応した座標空間上の各格子領域に対して、線分が格子内の所定の領域を横切った場合に、その横切られた所定の領域を含む格子領域を図形や文字の基本部分として設定するステップと、その基本部分に設定された格子領域に対応する表示単位の輝度値として所定の輝度値を用いて表示するステップとを含む処理を、上記制御部に実行させるための表示プログラムを記録した記録媒体である。これにより、上記目的が達成される。
【手続補正６】
【補正対象書類名】明細書
【補正対象項目名】００３２
【補正方法】変更
【補正の内容】
【００３２】
本発明では、図面や文字の骨格部分である線分が格子セルの中心およびその近傍（上記所定の領域）を通過する場合、図形や文字の骨格部分である線分を表す格子セルであると決定される。この結果、その線分が所定の領域以外の格子領域を通過する場合にもその格子領域を図形や文字の骨格部分であるとする場合に比べて、図形や文字の骨格部分がより高精細に表示され、これにより表示される図形や文字の視認性および表示品位が向上する。
【手続補正７】
【補正対象書類名】明細書
【補正対象項目名】００７８
【補正方法】変更
【補正の内容】
【００７８】
図１３は、線分の水平となす角度に対して所定の領域の割合を固定しているために生じる線分の途切れを示す。すなわち線分（破線）の水平となす角度１０° に対して所定の領域（格子セルの中心（黒丸）を含む点線で区切られた領域）の割合を５０％に固定しているため、隣接する格子セルが線分を表す格子セルとして連続的に決定されず、表示すべき線分が途切れる。この結果、文字の視認性および表示品位を低下させるおそれがある。